(57)【要約】【課題】  人型形状に形成され、衣服を替えることができることによって、意外性と興趣性を備えた人形玩具を提供することを目的とする。【解決手段】  人形玩具１は、軟質合成樹脂によって形成された人型形状体２と衣服形状体２０とからなる。人型形状体２には、衣服形状の輪郭の凹部３が形成され、この凹部３に相当する位置に磁石５が埋設されている。衣服形状体２０は、人型形状体２の凹部３に嵌合するように形成され、強磁性体２１が埋設されており、人型形状体２の凹部３に着脱可能に取り付けられる。【選択図】  図２
2014161447.tif 000002
【特許請求の範囲】
【請求項１】
軟質合成樹脂によって形成された人型形状体と衣服形状体とからなり、
人型形状体には、衣服形状の輪郭の凹部が形成され、この凹部に相当する位置に磁石が埋設されており、
衣服形状体は、人型形状体の凹部に嵌合するように形成され、強磁性体が埋設されており、人型形状体の凹部に着脱可能に取り付けられるように構成されていることを特徴とする人形玩具。
【請求項２】
前記凹部の底面には、前記衣服形状体と異なる衣服の模様が形成されていることを特徴とする請求項１記載の人形玩具。
【請求項３】
前記人型形状体は、下部層と上部層からなる基部と、基部の一方の面に形成された造形部層とからなり、
前記磁石は、下部層と上部層の間に配置され、
造形部層は、衣服形状の輪郭の凹部が形成された人型形状に形成されていることを特徴とする請求項１又は２記載の人形玩具。
【請求項４】
前記衣服形状体は、第１層と第２層からなり、
前記強磁性体は、第１層と第２層の間に配置されていることを特徴とする請求項１、２又は３記載の人形玩具。
【請求項５】
請求項３記載の人形玩具を製造する製造方法であって、
軟質合成樹脂によって、衣服形状の輪郭の凹部が形成された人型形状の造形部層を成形する第１の工程と、
軟質合成樹脂によって、前記造形部層に一方の面を接合させるようにして、磁性体の一部を他方の面から突出させた状態でインサート成形して上部層を形成する第２の工程と、
軟質合成樹脂によって、前記上部層の他方の面に接合させるようにして、磁性体の一部をインサート成形して下部層を成形し、基部を形成する第３の工程と、
前記磁性体を磁化して磁石にする第４の工程によって人型形状体を製造することを特徴とする人形玩具の製造方法。
【請求項６】
軟質合成樹脂によって、強磁性体の一部を表面から突出させた状態でインサート成形して第１層を成形する第５の工程と、
軟質合成樹脂によって、第１層の表面に接合させるようにして、強磁性体の一部をインサート成形して第２層を成形する第６の工程によって衣服形状体を製造することを特徴とする請求項５記載の人形玩具の製造方法。
【発明の詳細な説明】
【技術分野】
【０００１】
本発明は、衣服を替えることができる人形玩具とその製造方法に関する。
【背景技術】
【０００２】
従来、衣服を替えることができる人形玩具は、人型形状体と、再剥離可能な粘着剤層によって着脱可能に取り付けられる衣服形状体とからなる。人形玩具は、人型形状体に貼着する衣服形状体を取り替えることにより形態を変えることができる（例えば、特許文献１）。
【先行技術文献】
【特許文献】
【０００３】
【特許文献１】特開平８−２９９６０２号公報
【発明の概要】
【発明が解決しようとする課題】
【０００４】
しかし、上記人形玩具は、衣服形状体が人型形状体に貼着されて取り付けられているので衣服形状体の周縁が表出しており、人型形状体から衣服形状体が剥がれ易く、携帯アクセサリーとしては利用することができないという問題点があった。
【０００５】
本願発明は、上記問題点に鑑み案出したものであって、衣服形状体を人型形状体から着脱することによって、人形形態を変化させて、見る者に意外性と興趣性を与えることができ、しかも、衣服形状体を人型形状体に外れ難く取り付けることができ、携帯アクセサリーとしても利用することができる人形玩具とその製造方法を提供することを目的とする。
【課題を解決するための手段】
【０００６】
本願請求項１に係る人形玩具は、上記目的を達成するため、軟質合成樹脂によって形成された人型形状体と衣服形状体とからなり、人型形状体には、衣服形状の輪郭の凹部が形成され、この凹部に相当する位置に磁石が埋設されており、衣服形状体は、人型形状体の凹部に嵌合するように形成され、強磁性体が埋設されており、人型形状体の凹部に着脱可能に取り付けられるように構成されていることを特徴とする。
【０００７】
本願請求項２に係る人形玩具は、上記目的を達成するため、前記凹部の底面には、前記衣服形状体と異なる衣服の模様が形成されていることを特徴とする。
【０００８】
本願請求項３に係る人形玩具は、上記目的を達成するため、前記人型形状体は、下部層と上部層からなる基部と、基部の一方の面に形成された造形部層とからなり、前記磁石は、下部層と上部層の間に配置され、造形部層は、衣服形状の輪郭の凹部が形成された人型形状に形成されていることを特徴とする。
【０００９】
本願請求項４に係る人形玩具は、上記目的を達成するため、前記衣服形状体は、第１層と第２層からなり、前記強磁性体は、第１層と第２層の間に配置されていることを特徴とする。
【００１０】
本願請求項５に係る人形玩具の製造方法は、上記目的を達成するため、軟質合成樹脂によって、衣服形状の輪郭の凹部が形成された人型形状の造形部層を成形する第１の工程と、軟質合成樹脂によって、前記造形部層に一方の面を接合させるようにして、磁性体の一部を他方の面から突出させた状態でインサート成形して上部層を形成する第２の工程と、軟質合成樹脂によって、前記上部層の他方の面に接合させるようにして、磁性体の一部をインサート成形して下部層を成形し、基部を形成する第３の工程と、前記磁性体を磁化して磁石にする第４の工程によって人型形状体を製造することを特徴とする。
【００１１】
本願請求項６に係る人形玩具の製造方法は、上記目的を達成するため、軟質合成樹脂によって、強磁性体の一部を表面から突出させた状態でインサート成形して第１層を成形する第５の工程と、軟質合成樹脂によって、第１層の表面に接合させるようにして、強磁性体の一部をインサート成形して第２層を成形する第６の工程によって衣服形状体を製造することを特徴とする。
【発明の効果】
【００１２】
本願発明に係る人形玩具は、軟質合成樹脂によって形成された人型形状体と衣服形状体とからなり、人型形状体には、衣服形状の輪郭の凹部が形成され、この凹部に相当する位置に磁石が埋設されており、衣服形状体は、人型形状体の凹部に嵌合するように形成され、強磁性体が埋設されており、人型形状体の凹部に着脱可能に取り付けられるように構成されている。
【００１３】
本願発明に係る人形玩具は、人型形状体の凹部に衣服形状体を嵌合して、所定の衣服を着た一つの人形形態にすることができ、人型形状体の凹部から衣服形状体を外すと、別の人形形態にすることができ、見る者に意外性と興趣性を与えることができるという効果がある。さらに、複数の衣服形状体を用意しておくことにより、衣替えのできる人形玩具として楽しむことができるという効果がある。また、軽量且つ薄型形状にすることができ、携帯に便利な携帯アクセサリーの構造にすることができるという効果がある。
【００１４】
本願発明に係る人形玩具は、衣服形状体が人型形状体の凹部に嵌合して取り付けられるので、衣服形状体の周縁が凹部内に収められて外れ難くなっていると共に、衣服形状体の強磁性体が人型形状体の磁石によって引き寄せられているので、衣服形状体が人型形状体に強固に固定され、携帯アクセサリーとして使用することができるという効果がある。さらに、本願発明に係る人形玩具は、人型形状体に内蔵された磁石により、冷蔵庫の扉、キャビネットの側壁等の強磁性体によって構成される壁面に吸着させることができ、インテリアの装飾品としても利用できるという効果がある。
【００１５】
本願発明に係る人形玩具は、上記効果を備え、前記凹部の底面に、前記衣服形状体と異なる衣服の模様が形成されていると、異なる衣服を着た二つの人形形態を有することになり、一層興趣あるものにすることができるという効果がある。
【００１６】
本願発明に係る人形玩具は、上記効果を備え、前記人型形状体は、下部層と上部層からなる基部と、基部の一方の面に形成された造形部層とからなり、前記磁石は、下部層と上部層の間に配置され、造形部層は、衣服形状の輪郭の凹部が形成された人型形状に形成されている。本願発明に係る人形玩具は、人型形状体が下部層、上部層、造形部層の３層構成からなり、磁石が下部層と上部層の間に配置され、凹部が造形部層によって形成されるので、凹部に相当する位置に磁石を取り付けることができ、凹部に嵌合する衣服形状体を確実に吸着して固定できるという効果がある。
【００１７】
本願発明に係る人形玩具は、上記効果を備え、前記衣服形状体は、第１層と第２層からなり、前記強磁性体は、第１層と第２層の間に配置されている。本願発明に係る人形玩具は、衣服形状体が第１層と第２層の２層構成からなり、強磁性体が第１層と第２層の間に配置され、衣服形状体を人型形状体の凹部に嵌合すると、人型形状体の凹部に相当する位置に取り付けられた磁石によって衣服形状体を強固に吸着して固定できるという効果がある。
【００１８】
本願発明に係る人形玩具の製造方法は、軟質合成樹脂によって、衣服形状の輪郭の凹部が形成された人型形状の造形部層を成形する第１の工程と、軟質合成樹脂によって、前記造形部層に一方の面を接合させるようにして、磁性体の一部を他方の面から突出させた状態でインサート成形して上部層を形成する第２の工程と、軟質合成樹脂によって、前記上部層の他方の面に接合させるようにして、磁性体の一部をインサート成形して下部層を成形し、基部を形成する第３の工程と、前記磁性体を磁化して磁石にする第４の工程によって人型形状体を製造する。
【００１９】
本願発明に係る人形玩具の製造方法は、人型形状の造形部層を成形する第１の工程と、上部層を成形する第２の工程と、下部層を成形して基部を形成する第３の工程と、磁性体を着磁して磁石にする第４の工程によって、簡単に人型形状体を製造することができるという効果がある。
【００２０】
本願発明に係る人形玩具の製造方法は、軟質合成樹脂によって、強磁性体の一部を表面から突出させた状態でインサート成形して第１層を成形する第５の工程と、軟質合成樹脂によって、第１層の表面に接合させるようにして、強磁性体の一部をインサート成形して第２層を成形する第６の工程によって衣服形状体を製造する。
【００２１】
本願発明に係る人形玩具の製造方法は、第１層を成形する第５の工程と、第２層を成形する第６の工程によって、簡単に衣服形状体を製造することができるという効果がある。
【図面の簡単な説明】
【００２２】
【図１】本願発明に係る人形玩具の正面図である。
【図２】人形玩具の分解正面図である。
【図３】人形玩具の背面図である。
【図４】人形玩具の断面図である。
【図５】人形玩具の他の形態の正面図である。
【図６】人形玩具の基部の正面図である。
【図７】人形玩具の造形部の正面図である。
【図８】人形玩具の断面図である。
【図９】人形玩具の人型形状体の製造過程を示す断面図である。
【図１０】人形玩具の衣服形状体の製造過程を示す断面図である。
【発明を実施するための形態】
【００２３】
人形玩具１の概要について説明する。人形玩具１は、図１，２に示すように、軟質合成樹脂によって形成された人型形状体２と衣服形状体２０とからなる。人型形状体２には、衣服形状の輪郭の凹部３が形成され、この凹部３に相当する位置に磁石５が埋設されている（図４参照）。衣服形状体２０は、人型形状体２の凹部３に嵌合するように形成され、強磁性体２１が埋設されており、人型形状体２の凹部３に着脱可能に取り付けられる。
【００２４】
人形玩具１は、人型形状体２の凹部３に衣服形状体２０を嵌合して、所定の衣服を着た一つの人形形態にすることができ、人型形状体２の凹部３から衣服形状体２０を外すと、別の人形形態にすることができ、このように形態を変化させることができるので、見る者に意外性と興趣性を与えることができる。
【００２５】
さらに、複数の衣服形状体２０を用意しておくことにより、衣替えのできる人形玩具として楽しむことができる。例えば、夏衣服形状体と冬衣服形状体を用意しておき、夏場には夏衣服形状体２０を凹部３に取り付け、冬場には冬衣服形状体２０を凹部３に取り付けることにより、季節に応じて人形形態を変化させて楽しむことができる。また、軽量且つ薄型形状にすることができ、携帯に便利で、意外性と興趣性を備えた携帯アクセサリーの構造にすることができる。
【００２６】
人形玩具１は、衣服形状体２０が人型形状体２の凹部３に嵌合して取り付けられるので、衣服形状体２０の周縁が凹部３内に収められて外れ難くなっていると共に、衣服形状体２０の強磁性体２１が人型形状体２の磁石５によって引き寄せられているので、衣服形状体２０が人型形状体２に強固に固定され、携帯アクセサリーとして使用することができる。さらに、人形玩具１は、人型形状体２に内蔵された磁石５により、冷蔵庫の扉、キャビネットの側壁等の強磁性体によって構成される壁面に吸着させることができ、インテリアの装飾品としても利用できる。
【００２７】
人形玩具１は、前記凹部３の底面８に、図５に示すように、前記衣服形状体２０と異なる衣服の模様が形成されていると、異なる衣服を着た二つの人形形態を有することになり、一層興趣あるものにすることができる。
【００２８】
人形玩具１の前記人型形状体２は、図８に示すように、下部層１１と上部層１２からなる基部１０と、基部１０の一方の面１３に形成された造形部層１５とからなる。前記磁石５は、下部層１１と上部層１２の間に配置されている。造形部層１５は、図７に示すように、衣服形状の輪郭の凹部３が形成された人型形状に形成されている。人形玩具１は、人型形状体２が下部層１１、上部層１２、造形部層１５の３層構成からなり、磁石５が下部層１１と上部層１２の間に配置され、凹部３が造形部層１５によって形成されるので、凹部３に相当する位置に磁石５を取り付けることができ、凹部３に嵌合する衣服形状体２０を確実に吸着して固定できる。
【００２９】
人形玩具１の前記衣服形状体２０は、第１層２２と第２層２３からなり、前記強磁性体２１は、第１層２２と第２層２３の間に配置されている。人形玩具１は、衣服形状体２０が第１層２２と第２層２３の２層構成からなり、強磁性体２１が第１層２２と第２層２３の間に配置され、衣服形状体２０を人型形状体２の凹部３に嵌合すると、人型形状体２の凹部３に相当する位置に取り付けられた磁石５によって衣服形状体２０を強固に吸着して固定できる。
【００３０】
人形玩具の製造方法は、図９（ａ）に示すように、軟質合成樹脂によって、衣服形状の輪郭の凹部３が形成された人型形状の造形部層１５を成形する第１の工程と、図９（ｂ）に示すように、軟質合成樹脂によって、前記造形部層１５に一方の面１３を接合させるようにして、磁性体５の一部を他方の面１４から突出させた状態でインサート成形して上部層１２を形成する第２の工程と、図９（ｃ）に示すように、軟質合成樹脂によって、前記上部層１２の他方の面１４に接合させるようにして、磁性体５の一部をインサート成形して下部層１１を成形し、基部１０を形成する第３の工程と、前記磁性体５を磁化して磁石にする第４の工程によって人型形状体２を製造する。
【００３１】
人形玩具の製造方法は、人型形状の造形部層１５を成形する第１の工程と、上部層１２を成形する第２の工程と、下部層１１を成形して基部１０を形成する第３の工程と、磁性体５を着磁して磁石にする第４の工程によって、簡単に人型形状体２を製造することができる。
【００３２】
人形玩具の製造方法は、図１０（ａ）に示すように、軟質合成樹脂によって、強磁性体２１の一部を表面から突出させた状態でインサート成形して第１層２２を成形する第５の工程と、図１０（ｂ）に示すように、軟質合成樹脂によって、第１層２２の表面２２ａに接合させるようにして、強磁性体２１の一部をインサート成形して第２層２３を成形する第６の工程によって衣服形状体２０を製造する。人形玩具の製造方法は、第１層２２を成形する第５の工程と、第２層２３を成形する第６の工程によって、簡単に衣服形状体２０を製造することができる。
【００３３】
さらに人形玩具について詳細に説明する。人形玩具１は、図１，２に示すように、人型形状体２と衣服形状体２０とからなる。人型形状体２は、ポリ塩化ビニル等の軟質合成樹脂によって、約４〜５ｍｍ程度の厚みで人形形状に一体成形され、衣服に相当する部分に、衣服形状の輪郭を有する凹部３が約２ｍｍ程度の深さで形成されている。人型形状体２は、凹部３に相当する位置に磁石５がインサート成形されて埋設されている（図４参照）。
【００３４】
人型形状体２の外周端に半円状の突片６が一体成形されており、突片６には透孔７が形成されている。当該透孔７には、金属製のリング３１が取り付けられ、リング３１に係止金具３３が設けられている。この係止金具３３には、ストラップ３５が取り付けられている。
【００３５】
衣服形状体２０は、ポリ塩化ビニル等の軟質合成樹脂によって、約２ｍｍ程度の厚みで衣服形状に形成され、人型形状体２の凹部３に嵌合するように形成されている。衣服形状体２０には、鉄片等の強磁性片２１がインサート成形されて埋設されている（図４参照）。なお、強磁性片２１は、磁石であっても構わない。衣服形状体２０は、人型形状体２の凹部３に嵌合して着脱可能に取り付けられる。衣服形状体２０は、強磁性片２１が人型形状体２の磁石５の磁力によって引き寄せられているので、人型形状体２に確実に取り付けられる。
【００３６】
人形玩具１は、ポリ塩化ビニル等の軟質合成樹脂によって、軽量且つ薄型形状に形成されているので、携帯に便利な構造になっており、ストラップ３５によって、携帯電話、バッグ、財布、鞄等に取り付けることができる。また、人形玩具１は、衣服形状体２０の強磁性片２１が人型形状体２の磁石５の磁力によって引き付けられているので、衣服形状体２０が人型形状体２の凹部３に強固に取り付けられ、携帯時に、衣服形状体２０が人型形状体２から外れ難くなっている。
【００３７】
また、人形玩具１は、軽量且つ薄型形状に形成されているので、人型形状体２に内蔵された磁石５によって、冷蔵庫の扉、キャビネットの側壁等の強磁性体によって構成される壁面に吸着させることができ、インテリアの装飾品として利用できる他、ストラップ３５に鍵等を取り付けて、キーホルダーとしても使用することができる。
【００３８】
人形玩具１は、人型形状体２の凹部３に衣服形状体２０が嵌合して取り付けられているので、所定の衣服を着た一つの人形形態となっているが、人型形状体２の凹部３から衣服形状体２０を磁石５の磁力に抗して外すと、別の人形形態にすることができる。衣服形状体２０は、凹部３に嵌合している場合、人型形状体２と略同一平面となっており、磁石５により人型形状体２に強固に固定されているので、人型形状体２から取り外せるものとは認識することが難しく、取り外すと別の人形形態に変化するので、見る者に驚きと意外性を与えることになる。なお、複数の衣服形状体２０を用意しておくことにより、衣替えのできる、興趣ある人形玩具としても楽しむことができる。
【００３９】
人形玩具１は、図５に示すように、前記凹部３の底面８に、前記衣服形状体２０と異なる衣服の模様が形成されていると、異なる衣服を着た二つの人形形態を有することになり、意外性のある、興趣あるものにすることができる。
【００４０】
人形玩具１の人型形状体２は、図８に示すように、下部層１１と上部層１２からなる基部１０と、基部１０の一方の面１３に形成された造形部層１５とからなる。前記磁石５は、下部層１１と上部層１２の間に配置されている。造形部層１５は、図７に示すように、衣服形状の輪郭の凹部３が形成された人型形状に形成されている。人形玩具１の衣服形状体２０は、第１層２２と第２層２３からなり、前記強磁性体２１は、第１層２２と第２層２３の間に配置されている（図１０参照）。
【００４１】
人形玩具１の人型形状体２の製造方法は、第１から第４の４つの工程からなる。第１の工程は、図９（ａ）に示すように、軟質合成樹脂によって、衣服形状の輪郭の凹部３が形成された人型形状の造形部層１５を成形する。造形部層１５は、人型形状を形成するので、多色で成形が行われる。第２の工程は、図９（ｂ）に示すように、軟質合成樹脂によって、前記造形部層１５に一方の面１３を接合させるようにして、磁性体５の一部を他方の面１４から突出させた状態でインサート成形して上部層１２を形成する。第３の工程は、図９（ｃ）に示すように、軟質合成樹脂によって、前記上部層１２の他方の面１４に接合させるようにして、磁性体５の一部をインサート成形して下部層１１を成形し、基部１０を形成する。上部層１２及び下部層１１は、基部１０を形成するので、白色等の単一色で成形が行われる。第４の工程は、前記磁性体５を磁化して磁石にする。このように、第１〜第４の工程によって人型形状体２を製造する。
【００４２】
第１から第３の工程は、約３００℃の高温で流動状態となった軟質合成樹脂の冷却成形が約３分間にわたって行われるため、最初から磁性体５が磁化されて磁石になっている場合、熱で磁気が消滅する可能性がある。そのため、磁性体５は、磁気のない、例えばネオジム鉄ホウ素の合金を使用する。第３の工程によって、人型形状体２が形成された後、この人型形状体２を磁場発生装置に置き、磁性体５を着磁して磁石にする（第４の工程）。このようにして、人型形状体２が完成する。
【００４３】
人形玩具１の衣服形状体２０の製造方法は、第５から第６の２つの工程からなる。第５の工程は、図１０（ａ）に示すように、軟質合成樹脂によって、強磁性体２１の一部を表面から突出させた状態でインサート成形して第１層２２を成形する。第６の工程は、図１０（ｂ）に示すように、軟質合成樹脂によって、第１層２２の表面２２ａに接合させるようにして、強磁性体２１の一部をインサート成形して第２層２３を成形する。第１層２２及び第２層２３は、衣服形状を形成するので、多色で成形が行われる。このように２つの工程によって、衣服形状体２０を製造する。
【産業上の利用可能性】
【００４４】
本願発明は、キーホルダー、ストラップに取り付けられる着せ替え人形玩具に利用可能である。
【符号の説明】
【００４５】
１  人形玩具
２  人型形状体
３  凹部
５  磁石
６  突片
７  透孔
８  底面
１０  基部
１１  下部層
１１ａ  表面
１２  上部層
１３  一方の面
１４  他方の面
１５  造形部層
２０  衣服形状体
２１  強磁性体（強磁性片）
２２  第１層
２２ａ  表面
２３  第２層
３１  リング
３３  係止金具
３５  ストラップ
【図１】
2014161447.tif 000003
【図２】
2014161447.tif 000004
【図３】
2014161447.tif 000005
【図４】
2014161447.tif 000006
【図５】
2014161447.tif 000007
【図６】
2014161447.tif 000008
【図７】
2014161447.tif 000009
【図８】
2014161447.tif 000010
【図９】
2014161447.tif 000011
【図１０】
2014161447.tif 000012